(57)【要約】【課題】地震時に水平力が作用することに伴って杭に生じる曲げモーメントを調整して低減することができ、また、杭自体の耐力よりも杭頭接合部の耐力を小さく設定することによって杭の脆性的な破壊を防止することができる杭とフーチングの接合構造を提供すること。【解決手段】杭頭１に複数の定着筋３を固着し、定着筋３をフーチング４内に延設するようにした杭とフーチング４の接合構造において、定着筋３の先端部にフーチング４のコンクリートに固定される定着板５を設けるとともに、定着筋３の外周面を平滑となし、定着板５の下に緩衝材６を配設する。【選択図】図１
2006169787.tif 000002
【特許請求の範囲】
【請求項１】
杭頭に複数の定着筋を配設し、該定着筋をフーチング内に延設するようにした杭とフーチングの接合構造において、定着筋の先端部にフーチングのコンクリートに固定される定着板を設けるとともに、定着筋の外周面を平滑となし、前記定着板の下に緩衝材を配設したことを特徴とする杭とフーチングの接合構造。
【請求項２】
杭頭に複数の定着筋を配設し、該定着筋をフーチング内に延設するようにした杭とフーチングの接合構造において、定着筋の先端部にフーチングのコンクリートに固定される定着板を設けるとともに、定着筋を先細のテーパ形状に形成したことを特徴とする杭とフーチングの接合構造。
【請求項３】
定着板の下に緩衝材を配設したことを特徴とする請求項２記載の杭とフーチングの接合構造。
【請求項４】
杭頭に複数の定着筋を配設し、該定着筋をフーチング内に延設するようにした杭とフーチングの接合構造において、定着筋の先端部にフーチングのコンクリートに固定される定着板を設けるとともに、定着筋を先端に行くに従い段をなして漸次細径となる多段形状に形成したことを特徴とする杭とフーチングの接合構造。
【請求項５】
定着板の下に緩衝材を配設したことを特徴とする請求項４記載の杭とフーチングの接合構造。
【請求項６】
杭が、既製コンクリート杭若しくは鋼管杭又は場所打ちコンクリート杭であることを特徴とする請求項１、２、３、４又は５記載の杭とフーチングの接合構造。
【発明の詳細な説明】
【技術分野】
【０００１】
本発明は、杭とフーチングの接合構造に関し、特に、地震時に水平力が作用することに伴って杭に生じる曲げモーメントを調整して低減することができ、また、杭自体の耐力よりも杭頭接合部の耐力を小さく設定することによって杭の脆性的な破壊を防止することができる杭とフーチングの接合構造に関するものである。
【背景技術】
【０００２】
従来の建築基礎技術に関する杭頭接合方法として、杭頭を固定として設計した剛接合の杭頭接合方法が多く採用されている。しかし、先の兵庫県南部地震において、杭の頭部を固定した部分に損傷が集中して生じたことなどが多く報告された。その杭頭部の被害は、杭頭部の接合条件を固定としたために、曲げモーメントが杭頭部に集中したことに起因すると考えられている。近年、このような背景を受け、剛接合以外の杭頭接合部に関する研究が数多く行われるようになっている。ＰＨＣ杭、ＳＣ杭、ＰＲＣ杭等の既製コンクリート杭及び鋼管杭に関しても例外ではなく、剛接合以外の杭頭接合が大幅に増加しつつある。
【０００３】
ところで、このような剛接合以外の杭頭接合技術に関する従来技術の中には、例えば、特許文献１に開示されるように、定着筋に非定着部を設けることで、杭頭部の固定度を低減し、杭頭に働く曲げモーメントを低減させる杭頭接合方法がある。
しかしながら、この工法は、施工方法がやや煩雑であり、経済性に劣る懸念がある。
【０００４】
一方、特許文献２には、定着筋をＰＨＣ杭、ＳＣ杭、ＰＲＣ杭等の既製コンクリート杭や鋼管杭の端板部にねじ込むことにより、特殊な技術を必要とせず、定着筋と杭端板部を簡単にかつ確実に接合する工法が開示されているが、この工法は、剛接合以外の杭頭接合には対応していないのが現状である。
【特許文献１】特開２０００−１４４７６３号公報
【特許文献２】特開２００３−１８４１０５号公報
【発明の開示】
【発明が解決しようとする課題】
【０００５】
本発明は、上記従来の杭とフーチングの接合構造が有する問題点に鑑み、地震時に水平力が作用することに伴って杭に生じる曲げモーメントを調整して低減することができ、また、杭自体の耐力よりも杭頭接合部の耐力を小さく設定することによって杭の脆性的な破壊を防止することができる杭とフーチングの接合構造を提供することを目的とする。
【課題を解決するための手段】
【０００６】
上記目的を達成するため、本第１発明の杭とフーチングの接合構造は、杭頭に複数の定着筋を配設し、該定着筋をフーチング内に延設するようにした杭とフーチングの接合構造において、定着筋の先端部にフーチングのコンクリートに固定される定着板を設けるとともに、定着筋の外周面を平滑となし、前記定着板の下に緩衝材を配設したことを特徴とする。
【０００７】
また、同じ目的を達成するため、本第２発明の杭とフーチングの接合構造は、杭頭に複数の定着筋を配設し、該定着筋をフーチング内に延設するようにした杭とフーチングの接合構造において、定着筋の先端部にフーチングのコンクリートに固定される定着板を設けるとともに、定着筋を先細のテーパ形状に形成したことを特徴とする。
【０００８】
また、同じ目的を達成するため、本第３発明の杭とフーチングの接合構造は、杭頭に複数の定着筋を配設し、該定着筋をフーチング内に延設するようにした杭とフーチングの接合構造において、定着筋の先端部にフーチングのコンクリートに固定される定着板を設けるとともに、定着筋を先端に行くに従い段をなして漸次細径となる多段形状に形成したことを特徴とする。
【０００９】
また、これら第２、第３発明の杭とフーチングの接合構造において、定着板の下に緩衝材を配設することができる。
【００１０】
また、本発明の杭とフーチングの接合構造は、既製コンクリート杭若しくは鋼管杭又は場所打ちコンクリート杭に適用することができる。
【発明の効果】
【００１１】
本第１発明の杭とフーチングの接合構造によれば、既製コンクリート杭若しくは鋼管杭又は場所打ちコンクリート杭の杭頭に地震力が作用したとき、杭頭固定時に比べ、各定着筋に生じる付着力を切りやすくすることができ、これにより、杭頭固定度を低減し、杭頭部に生じる曲げモーメントを低減することにより、杭頭部損傷を抑制する効果を得ることができ、また同時に、杭頭部や基礎梁の配筋量を削減することができる。
この場合、杭頭とフーチングとの水平変位及び回転角の大きさは、定着筋の伸縮変形に依存するが、定着筋の外周面を平滑にすることにより地震時に生じる付着力を切りやすくするとともに、定着板の下に設けた緩衝材の収縮によって、フーチングからの定着筋の抜け出し量を大きくすることができ、これにより、地震時において杭頭固定度を低減し、杭頭に生じる曲げモーメントを小さくすることができる。
【００１２】
また、本第２発明の杭とフーチングの接合構造によれば、既製コンクリート杭若しくは鋼管杭又は場所打ちコンクリート杭の杭頭に地震力が作用したとき、杭頭固定時に比べ、各定着筋に生じる付着力を切りやすくすることができ、これにより、杭頭固定度を低減し、杭頭部に生じる曲げモーメントを低減することにより、杭頭部損傷を抑制する効果を得ることができ、また同時に、杭頭部や基礎梁の配筋量を削減することができる。
そして、定着筋を先細のテーパ形状にすることにより、地震時に定着筋に生じる付着力を切りやすくして、杭頭の固定度を低減し、杭頭に作用する曲げモーメントを小さくすることができる。
【００１３】
また、本第３発明の杭とフーチングの接合構造によれば、既製コンクリート杭若しくは鋼管杭又は場所打ちコンクリート杭の杭頭に地震力が作用したとき、杭頭固定時に比べ、各定着筋に生じる付着力を切りやすくすることができ、これにより、杭頭固定度を低減し、杭頭部に生じる曲げモーメントを低減することにより、杭頭部損傷を抑制する効果を得ることができ、また同時に、杭頭部や基礎梁の配筋量を削減することができる。
そして、定着筋を先端に行くに従い段をなして漸次細径となる多段形状にすることにより、地震時に定着筋に生じる付着力を切りやすくして、杭頭の固定度を低減し、杭頭に作用する曲げモーメントを小さくすることができる。
【００１４】
また、これら第２、第３発明の杭とフーチングの接合構造において、定着板の下に緩衝材を配設することにより、緩衝材の収縮によってフーチングからの定着筋の抜け出し量を大きくし、これにより、各定着筋を十分に伸ばして杭頭固定度を低減し、杭頭に生じる曲げモーメントをさらに小さくすることができる。
【００１５】
そして、本発明の杭とフーチングの接合構造は、既製コンクリート杭若しくは鋼管杭又は場所打ちコンクリート杭に広く適用することができる。
【発明を実施するための最良の形態】
【００１６】
以下、本発明の杭とフーチングの接合構造の実施の形態を、図面に基づいて説明する。  本発明の杭とフーチングの接合構造は、以下の実施例においては特に明記しないが、ＰＨＣ杭、ＳＣ杭、ＰＲＣ杭等の既製コンクリート杭若しくは鋼管杭又は場所打ちコンクリート杭に広く適用することができるものである。
そして、この杭とフーチングの接合構造は、例えば、杭頭１の固定度を低減させる機能を有した定着筋３を、杭頭１部にねじ込み式、スタッド溶接式あるいはフレア溶接式により杭頭１と結合させる。
定着筋３としては、例えば、異形鉄筋のような凹凸のない外周面が平滑な鉄筋（例えば丸鋼など）を用いることにより、地震時に定着筋３に生じる付着力を切りやすくし、さらに、緩衝材６（弾性材）を併用することで、杭頭固定度をさらに低減することができる。
定着筋３の先端部には、定着筋３の引き抜け破壊の防止策として、定着板（ナット等を含む）を設ける。
また、定着筋３を、表面に凹凸がないテーパ形状や、先端に行くに従い段をなして漸次細径となる多段形状に形成することにより、地震時に定着筋３に生じる付着力を切りやすくして、杭頭固定度を低減することができる。
この場合、テーパ形状や多段形状とした定着筋３の先端部に定着板５を設けるとともに、該定着板５の下方に緩衝材６（弾性材）を設置することで、より大きな杭頭固定度の低減効果を得ることができる。
【実施例１】
【００１７】
図１に、本発明の杭とフーチングの接合構造の第１実施例を示す。
この杭とフーチングの接合構造は、杭頭１に配設した端板２に複数の定着筋３を配設し、該定着筋３をフーチング４内に延設するようにしている。
そして、定着筋３の先端部にフーチング４のコンクリートに固定される大径の定着板５を設けるとともに、定着筋３の外周面を平滑となし、前記定着板５の下に緩衝材６を配設している。
この場合、定着筋３として丸鋼を用いるとともに、該定着筋３の基端部には雄ねじ７を設け、定着筋３の杭頭１への固定方法は、杭頭端板２へのねじ込み式とし、また、定着板５の直下に緩衝材６を設けるようにしている。
なお、緩衝材６は、弾性材からなり、より具体的には、クロロプレンゴム等のゴム状弾性材を好適に用いることができるが、これに限定されず、例えば、定着筋３に挿通した板ばね等によって構成することもできる。
【実施例２】
【００１８】
また、図２に示すように、定着筋３の杭頭１への接合を、予め杭頭１に埋設した袋ナット８に定着筋３をねじ込むようにすることができる。
なお、この杭とフーチングの接合構造のその他の構成は、実施例１と同様であるため説明を省略する。
【実施例３】
【００１９】
また、図３に示すように、定着筋３の固定方法を、鋼管杭やＳＣ杭の杭頭１へのフレア溶接とすることができる。
なお、この杭とフーチングの接合構造のその他の構成は、実施例１と同様であるため説明を省略する。
【実施例４】
【００２０】
また、図４に示すように、定着筋３の一端に雄ねじ７を形成し、この定着筋３を、鋼管杭あるいはＳＣ杭にフレア溶接したナットあるいはカップラー９へのねじ込むことにより固定することができる。
なお、この杭とフーチングの接合構造のその他の構成は、実施例１と同様であるため説明を省略する。
【実施例５】
【００２１】
また、図５に示すように、定着筋３の固定方法は、杭頭端板２へのスタッド溶接とすることもできる。
なお、この杭とフーチングの接合構造のその他の構成は、実施例１と同様であるため説明を省略する。
【実施例６】
【００２２】
次に、図６に、本発明の杭とフーチングの接合構造の第６実施例を示す。
この杭とフーチングの接合構造は、杭頭１に配設した端板２に複数の定着筋３を配設し、該定着筋３をフーチング４内に延設するようにしている。
そして、定着筋３の先端部にフーチング４のコンクリートに固定される定着板５を設けるとともに、定着筋３を、断面が円形で先細のテーパ形状に形成している。
この場合、テーパ形状の定着筋３の外周面は平滑であり、その基端部には雄ねじ７、その先端部には定着板５を設け、また、定着筋３の固定方法は杭頭端板２へのねじ込み式としている。
【実施例７】
【００２３】
また、図７に示すように、定着筋３の定着板５の下に緩衝材６を設けることができる。
なお、この杭とフーチングの接合構造のその他の構成は、実施例６と同様であるため説明を省略する。
【実施例８】
【００２４】
また、図８に示すように、定着筋３の杭頭１への接合は、定着筋３の一端に形成した雄ねじ（図示省略）を、予め杭頭１に埋設した袋ナット８にねじ込むことにより行うことができる。
なお、この杭とフーチングの接合構造のその他の構成は、実施例６と同様であるため説明を省略する。
【実施例９】
【００２５】
また、図９に示すように、定着筋３の杭頭１への接合は、定着筋３の基端部に形成した雄ねじ（図示省略）を、予め杭頭１に埋設した袋ナット８にねじ込むことにより行い、定着筋３の定着板５の下に緩衝材６を設けることができる。
なお、この杭とフーチングの接合構造のその他の構成は、実施例６と同様であるため説明を省略する。
【実施例１０】
【００２６】
また、図１０に示すように、定着筋３の固定方法を、鋼管杭やＳＣ杭の杭頭１へのフレア溶接とすることもできる。
なお、この杭とフーチングの接合構造のその他の構成は、実施例６と同様であるため説明を省略する。
【実施例１１】
【００２７】
また、図１１に示すように、定着筋３の固定方法を鋼管杭やＳＣ杭の杭頭１へのフレア溶接とするとともに、定着筋３の定着板５の下に緩衝材６を設けることができる。
なお、この杭とフーチングの接合構造のその他の構成は、実施例６と同様であるため説明を省略する。
【実施例１２】
【００２８】
また、図１２に示すように、定着筋３の基端部に雄ねじ（図示省略）を設け、定着筋３の固定は、鋼管杭やＳＣ杭の杭頭１にフレア溶接したナット若しくはカップラー９へのねじ込み式とすることができる。
なお、この杭とフーチングの接合構造のその他の構成は、実施例６と同様であるため説明を省略する。
【実施例１３】
【００２９】
また、図１３に示すように、定着筋３の基端部に雄ねじ（図示省略）を設け、定着筋３の固定を、鋼管杭やＳＣ杭の杭頭１にフレア溶接したナット若しくはカップラー９へのねじ込み式とするとともに、定着筋３の定着板５の下に緩衝材６を設けることができる。
なお、この杭とフーチングの接合構造のその他の構成は、実施例６と同様であるため説明を省略する。
【実施例１４】
【００３０】
また、図１４に示すように、定着筋の固定方法は、杭頭端板２へのスタッド溶接とすることができる。
なお、この杭とフーチングの接合構造のその他の構成は、実施例６と同様であるため説明を省略する。
【実施例１５】
【００３１】
また、図１５に示すように、定着筋の固定方法を杭頭端板２へのスタッド溶接とするとともに、定着筋３の定着板５の下に緩衝材６を設けることができる。
なお、この杭とフーチングの接合構造のその他の構成は、実施例６と同様であるため説明を省略する。
【実施例１６】
【００３２】
次に、図１６に、本発明の杭とフーチングの接合構造の第１６実施例を示す。
この杭とフーチングの接合構造は、杭頭１に配設した端板２に複数の定着筋３を配設し、該定着筋３をフーチング４内に延設するようにしている。
そして、定着筋３の先端部にフーチング４のコンクリートに固定される大径の定着板５を設けるとともに、定着筋３を先端に行くに従い段をなして漸次細径となる断面円形の多段形状に形成している。
この場合、定着筋３の基端部には雄ねじ７を設けて杭頭１にねじ固定するとともに、定着筋３の先端部には、引き抜け破壊の防止用に前記定着板５を設けている。
【実施例１７】
【００３３】
また、図１７に示すように、多段形状の定着筋３の基端部には雄ねじ７を設けて杭頭１にねじ固定するとともに、定着筋３の先端部に設けた定着板５の下に緩衝材６を設けることができる。
なお、この杭とフーチングの接合構造のその他の構成は、実施例１６と同様であるため説明を省略する。
【実施例１８】
【００３４】
また、図１８に示すように、多段形状の定着筋３の基端部には雄ねじ、その先端部には定着板５を設け、定着筋３の杭頭１への接合は、予め杭頭１に埋設した袋ナット８に定着筋３をねじ固定することができる。
なお、この杭とフーチングの接合構造のその他の構成は、実施例１６と同様であるため説明を省略する。
【実施例１９】
【００３５】
また、図１９に示すように、多段形状の定着筋３の基端部には雄ねじを、その先端部には定着板５を設け、予め杭頭１に埋設した袋ナット８ヘ定着筋３をねじ込むとともに、定着筋３の定着板５の下に緩衝材６を設けることができる。
なお、この杭とフーチングの接合構造のその他の構成は、実施例１６と同様であるため説明を省略する。
【実施例２０】
【００３６】
また、図２０に示すように、多段形状の定着筋３を用い、該定着筋３の先端部に定着板５を設けるとともに、定着筋３の固定方法は、鋼管杭やＳＣ杭の杭頭１へのフレア溶接とすることができる。
なお、この杭とフーチングの接合構造のその他の構成は、実施例１６と同様であるため説明を省略する。
【実施例２１】
【００３７】
また、図２１に示すように、定着筋３の固定方法は、鋼管杭やＳＣ杭の杭頭１へのフレア溶接とするとともに、定着筋３の先端部に定着板５を設け、該定着板５の下に緩衝材６を設けることができる。
なお、この杭とフーチングの接合構造のその他の構成は、実施例１６と同様であるため説明を省略する。
【実施例２２】
【００３８】
また、図２２に示すように、多段形状の定着筋３の基端部には雄ねじ、その先端部には定着板５を設け、この定着筋３の固定方法は、鋼管杭やＳＣ杭の杭頭１にフレア溶接したナット若しくはカップラー９へのねじ込み式とすることができる。
なお、この杭とフーチングの接合構造のその他の構成は、実施例１６と同様であるため説明を省略する。
【実施例２３】
【００３９】
また、図２３に示すように、多段形状の定着筋３の基端部には雄ねじ、その先端部には定着板５を設け、定着筋３の固定を、鋼管杭やＳＣ杭の杭頭１にフレア溶接したナット若しくはカップラー９へのねじ込み式とするとともに、定着板５の下に緩衝材６を設けることができる。
なお、この杭とフーチングの接合構造のその他の構成は、実施例１６と同様であるため説明を省略する。
【実施例２４】
【００４０】
また、図２４に示すように、多段形状の定着筋３を用い、該定着筋３の先端部に定着板５を設けるとともに、定着筋３の固定を、杭頭端板２へのスタッド溶接とすることができる。
なお、この杭とフーチングの接合構造のその他の構成は、実施例１６と同様であるため説明を省略する。
【実施例２５】
【００４１】
また、図２５に示すように、多段形状の定着筋３の固定を杭頭端板２へのスタッド溶接とするとともに、定着筋３の先端部に定着板５を設け、この定着板５の下に緩衝材６を設けることができる。
なお、この杭とフーチングの接合構造のその他の構成は、実施例１６と同様であるため説明を省略する。
【実施例２６】
【００４２】
また、図２６に示すように、鋼管杭の杭頭１に配設した端板２に複数の定着筋３を配設し、該定着筋３をフーチング４内に延設するとともに、定着筋３の先端部に定着板５を設け、この定着板５の下に緩衝材６を設けることができる。
この場合、端板２は、杭頭１の平面形状よりも大きく、杭頭１の外方、すなわち、フーチング４内に突出する形状のものを鋼管杭の杭頭１に配設するようにしているが、これに限定されず、杭頭１の平面形状と同形状のものを鋼管杭の杭頭１に配設することもできる。
なお、この杭とフーチングの接合構造のその他の構成は、実施例１と同様であるため説明を省略する。
【００４３】
次に、本実施例の杭とフーチングの接合構造の作用を説明する。
この杭とフーチングの接合構造では、定着筋３を、外周面が平滑な形状や、先細のテーパ形状、先端に行くに従い段をなして漸次細径となる多段形状に形成することから、既製コンクリート杭や鋼管杭の杭頭１に地震力が作用したときに、杭頭固定時に比べて、その先端部の定着板５を除き、各定着筋３に生じる付着力を切りやすくすることができる。
よって、定着筋の付着が十分ある場合に比べて、定着筋の伸び量が増えるため杭頭固定度を低減させ、杭頭部に生じる曲げモーメントを低減させることで、杭頭部損傷を抑制する効果を得ることができる。また同時に、杭頭部や基礎梁の配筋量を削減することができる。
【００４４】
異形鉄筋のような凹凸のない外周面が平滑な鉄筋（例えば丸鋼など）を定着筋３として用いた場合、コンクリートとの付着力が小さいため、定着筋３の伸びが大きくなり、杭頭固定度を低減し、杭頭１に生じる曲げモーメントを小さくすることができる。
【００４５】
また、定着板５の下に緩衝材６を設けることにより、定着筋３の実質的な伸び量が大きくなる。
また、同一変位下において、定着筋３に生じる引張力に着目すると、定着板５の下に緩衝材６がない場合は、図２７（ａ）に示すように、引張力１０が大きく作用する。
一方、定着板５の下に緩衝材６がある場合は、図２７（ｂ）に示すように、小さな引張力１０で緩衝材６がない場合と同等の定着筋３の変位を得ることができる。
つまり、定着筋３の下に設けた緩衝材６の効果により、杭頭固定度が低減され、杭頭１に生じる曲げモーメントを小さくすることができる。
【００４６】
また、外周面が平滑なテーパ形状の定着筋３を用いることで、地震時に定着筋３に生じる付着力を切りやすくし、杭頭１の固定度を低減し、杭頭１に作用する曲げモーメントを小さくする効果を得ることができる。
また、外周面が平滑な多段形状の定着筋３の場合においても、杭頭１の固定度を低減して、杭頭１の曲げモーメントを小さくする効果を得ることができる。
この場合、緩衝材６を併用することで、杭頭モーメントの低減効果をより多く得ることができる。
【００４７】
以上、本発明の杭とフーチングの接合構造について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができ、また、その適用対象も、ＰＨＣ杭、ＳＣ杭、ＰＲＣ杭等の既製コンクリート杭若しくは鋼管杭又は場所打ちコンクリート杭に広く適用することができるものである。
【産業上の利用可能性】
【００４８】
本発明の杭とフーチングの接合構造は、地震時に水平力が作用することに伴って杭に生じる曲げモーメントを調整して低減することができ、また、杭自体の耐力よりも杭頭接合部の耐力を小さく設定することによって杭の脆性的な破壊を防止するという特性を有していることから、地震に対して良好に対応し得る杭とフーチングの接合構造として、ＰＨＣ杭、ＳＣ杭、ＰＲＣ杭等の既製コンクリート杭若しくは鋼管杭又は場所打ちコンクリート杭に広く用いることができる。
【図面の簡単な説明】
【００４９】
【図１】本発明の杭とフーチングの接合構造の第１実施例を示す要部の断面図である。
【図２】同第２実施例を示す要部の断面図である。
【図３】同第３実施例を示す要部の断面図である。
【図４】同第４実施例を示す要部の断面図である。
【図５】同第５実施例を示す要部の断面図である。
【図６】同第６実施例を示す要部の断面図である。
【図７】同第７実施例を示す要部の断面図である。
【図８】同第８実施例を示す要部の断面図である。
【図９】同第９実施例を示す要部の断面図である。
【図１０】同第１０実施例を示す要部の断面図である。
【図１１】同第１１実施例を示す要部の断面図である。
【図１２】同第１２実施例を示す要部の断面図である。
【図１３】同第１３実施例を示す要部の断面図である。
【図１４】同第１４実施例を示す要部の断面図である。
【図１５】同第１５実施例を示す要部の断面図である。
【図１６】同第１６実施例を示す要部の断面図である。
【図１７】同第１７実施例を示す要部の断面図である。
【図１８】同第１８実施例を示す要部の断面図である。
【図１９】同第１９実施例を示す要部の断面図である。
【図２０】同第２０実施例を示す要部の断面図である。
【図２１】同第２１実施例を示す要部の断面図である。
【図２２】同第２２実施例を示す要部の断面図である。
【図２３】同第２３実施例を示す要部の断面図である。
【図２４】同第２４実施例を示す要部の断面図である。
【図２５】同第２５実施例を示す要部の断面図である。
【図２６】同第２６実施例を示す要部の断面図である。
【図２７】定着筋に生じる引張力を示し、（ａ）は緩衝材がない場合の説明図、（ｂ）は緩衝材がある場合の説明図である。
【符号の説明】
【００５０】
１    杭頭
２    端板
３    定着筋
４    フーチング
５    定着板
６    緩衝材
７    雄ねじ
８    袋ナット
９    ナット、カップラー
１０  引張力
【図１】
2006169787.tif 000003
【図２】
2006169787.tif 000004
【図３】
2006169787.tif 000005
【図４】
2006169787.tif 000006
【図５】
2006169787.tif 000007
【図６】
2006169787.tif 000008
【図７】
2006169787.tif 000009
【図８】
2006169787.tif 000010
【図９】
2006169787.tif 000011
【図１０】
2006169787.tif 000012
【図１１】
2006169787.tif 000013
【図１２】
2006169787.tif 000014
【図１３】
2006169787.tif 000015
【図１４】
2006169787.tif 000016
【図１５】
2006169787.tif 000017
【図１６】
2006169787.tif 000018
【図１７】
2006169787.tif 000019
【図１８】
2006169787.tif 000020
【図１９】
2006169787.tif 000021
【図２０】
2006169787.tif 000022
【図２１】
2006169787.tif 000023
【図２２】
2006169787.tif 000024
【図２３】
2006169787.tif 000025
【図２４】
2006169787.tif 000026
【図２５】
2006169787.tif 000027
【図２６】
2006169787.tif 000028
【図２７】
2006169787.tif 000029